(57)【特許請求の範囲】
【請求項１】
可燃ごみ、不燃ごみ、プラスチックごみの何れかを含んだ固形の廃棄物を破砕する破砕装置と、この破砕装置で破砕された破砕ごみを水洗する洗浄装置と、この洗浄装置で水洗された破砕ごみを乾燥させる乾燥装置と、この乾燥装置で乾燥された破砕ごみよりプラスチックごみを分離する分離装置と、この分離装置で分離されたプラスチックごみを減容する減容装置とを備え、
前記洗浄装置と乾燥装置、乾燥装置と分離装置、分離装置と洗浄装置とは、パイプコンベアによって全体が連結され、前記各装置は集合して組立てられており、
固形の廃棄物を各装置で段階的に処理するように構成したことを特徴とする固形物廃棄処理装置。
【請求項２】
前記パイプコンベアの一部あるいはこのコンベアの経路内に、圧縮空気を噴射して搬送中の水洗された破砕ごみに付着している水分を飛ばす水切り装置と、加熱空気を噴射して水洗された破砕ごみに付着している水分を蒸発させる乾燥装置を設けたことを特徴とする請求項１記載の固形物廃棄処理装置。
【発明の詳細な説明】
【０００１】
【発明の属する技術分野】
本発明は、主として大型船舶の船内生活に伴って発生するごみの内、保管できる紙類、木材等の可燃ごみ、空缶や空瓶等の不燃ごみ、及びプラスチックごみを処理するための廃棄物処理装置の改良に関する。
【０００２】
【従来の技術】
客船や遠洋航海する大型の漁船や自衛艦あるいは客船など、多数の乗員や乗客が乗船した大型の船舶においては船内生活に伴って大量のごみが発生するごみの内、保管できる固形物ごみとしては、紙類や木材などの可燃ごみ、空缶や空瓶などの不燃ごみ、更に発泡スチロール、ビニール袋などのプラスチックごみに大別される。
【０００３】
【発明が解決すべき課題】
前記のように船舶内で大量に発生した固形物ごみ、即ち固形廃棄物は通常は容器に入れて保管しておき、港に寄った際に廃棄したり、持ち帰ったりしているが、多くの場合、この固形廃棄物を保管する船内スペースが不足している。
【０００４】
また、保管中に固形廃棄物が悪臭を発したり衛生上に問題がある。そして、この悪臭を防止するために通常は固形廃棄物を容器に収容する前にいちいち洗浄しているが、船内においては真水が貴重であることから十分な洗浄を行うことが出来ないという問題がある。一方、船内で発生する固形物の廃棄物は後の処理方法を考慮して個々の容器に分類されて取り扱い易いようになっている。
【０００５】
本発明は、前記固形廃棄物のもつ従来の問題を解決すると共に船内のスペースを確保するために、ごみを大幅に減容する手段を提供することを目的とするものである。更に、デパートやホテルや学校など、固形廃棄物が大量に発生する施設に簡単に設置して使用できる減容装置を提供するものである。
【０００６】
【課題を解決するための手段】
前記目的を達成するための本発明に係る固形物廃棄処理装置は、可燃ごみ、不燃ごみ、プラスチックごみの何れかを含んだ固形の廃棄物を破砕する破砕装置と、この破砕装置で破砕された破砕ごみを水洗する洗浄装置と、この洗浄装置で水洗された破砕ごみを乾燥させる乾燥装置と、この乾燥装置で乾燥された破砕ごみよりプラスチックごみを分離する分離装置と、この分離装置で分離されたプラスチックごみを減容する減容装置とを備え、前記洗浄装置と乾燥装置、乾燥装置と分離装置、分離装置と洗浄装置とは、パイプコンベアによって全体が連結され、前記各装置は集合して組立てられており、固形の廃棄物を各装置で段階的に処理するように構成したことを特徴としている。
【０００７】
また、前記パイプコンベアの一部あるいはこのコンベアの経路内に、圧縮空気を噴射して搬送中の水洗された破砕ごみに付着している水分を飛ばす水切り装置と、加熱空気を噴射して水洗された破砕ごみに付着している水分を蒸発させる乾燥装置を設けたことを特徴としている。
【０００８】
更に、パイプコンベアの一部あるいはこのコンベアの経路内に、圧縮空気を噴射して搬送中のごみに付着している水を飛ばす水切り装置と、加熱空気を噴射してごみに付着している水分を蒸発させる乾燥装置を設けたことを特徴としている。
【０００９】
更にまた、パイプコンベアの本体に分離装置を併設し、この分離装置によってプラスチックごみと、それ以外のごみとを区別する装置を設けたことを特徴としている。
【００１０】
要するに、本発明に係る処理装置は、破砕機と洗浄装置と乾燥装置などの機器をパイプコンベアで一連に結んで、破砕ごみを機器の間の空間を利用して搬送するように構成するものであって、複数の機器の設置場所を考慮して配置した上で、これらの機器をパイプコンベアによって有機的に結合してコンパクト化を図るものである。
【００１１】
【発明の実施の形態】
次に、図面を参照して本発明に係る固形廃棄物処理装置の詳細を説明する。
【００１２】
図１は本発明に係る装置の全体構成を示す概略図であり、１は可燃ごみＴ、あるいは不燃ごみＴａ、又はプラスチックごみＰを処理方法に応じて受入れるホッパーであり、その内部には洗浄用ノズル１ａが設けられており、破砕するごみを予め洗浄するようにしている。そしてこのホッパー１の下方に破砕機２が配置されて前記可燃ごみＴ、不燃ごみＴａ及びプラスチックごみＰをそれぞれ破砕するようになっている。
【００１３】
前記のように破砕機２で破砕されたごみｔは洗浄装置３内に収容されて洗浄ノズル３ａより噴出する洗浄水ｗによって洗浄される。なお、この洗浄水ｗの噴射は汚れを落とす必要のあるごみに供給されるものであって、可燃ごみが紙や布や木材のように水を含んで変質するものや洗浄が不要なものには洗浄は不要である。
【００１４】
前記洗浄装置３は一種の箱状のものであって、その下方の一部は開口され、その開口部にパイプコンベア４が接続され、その接続部の上半分に受入れ口４ａが開口されている。前記洗浄装置３より破砕ごみｔ（可燃ごみ、不燃ごみ）、あるいはプラスチックごみｐはパイプコンベア４内を矢印のように移動し、パイプコンベア４の部分４ｂで圧縮空気ａを噴出する水切り装置６によって水切りがされ、パイプコンベア４の部分４ｃを移動する。  このパイプコンベア４ｃには乾燥装置１２が設けられており、フアン１３で吸引加圧された空気は熱風噴射装置１４で所定の高温に加熱されて乾燥装置１２よりパイプコンベア４ｃ内に供給されてパイプ内を移動中に加熱され、乾燥される。
【００１５】
そしてこのパイプコンベア４ｄにおいて、これに接続されている分離装置７で排出口７ａ又は排出口７ｂに振り分けられるようになっている。なお、この分離装置７はごみを分別する分離板、この分離板を駆動する装置などで構成されているが、これらは既存の技術を採用することができる。前記分離板の操作は作業員が手動で行ってもよい。
【００１６】
排出口７ａはそのまま保管が可能な可燃ごみｔや不燃ごみを排出するもので、これを容器８（コンテナ）に入れて保管しておく。また、別の排出口７ｂに案内されたプラスチックごみｐはプラスチック減容装置９によって、プラスチックごみ同士を擦り合わせて発生した摩擦熱を利用して容積を減少させて容器８ａ内に収容保管する。
【００１７】
図２は破砕装置２とその下方に設けた洗浄装置３の組み合わせを示すもので、破砕装置２はホッパー２ａの下方に破砕機構２ｂを有すると共に上方に洗浄水ノズル２ｃを配置している。この破砕機構２ｂは例えば二軸剪断式破砕機、二軸剪断式破砕機と振動ふるいと水洗浄装置を組み合わせた装置など通常の破砕装置を使用することができる。
【００１８】
また、破砕装置２の後工程に設けられる洗浄装置３は、ホッパー３ｂの下部の開口部にパイプコンベア４を接続し、更にホッパー３ｂの内面に洗浄水噴射ノズル３ａを設けている。
【００１９】
パイプコンベア４は、図２に示すようにパイプ４ｅに供給口４ｈを開口し、このパイプ４ｅ内に送り板４ｆを所定の間隔でチエンやロープなどの引張り部材４ｇで連結し、送り板４ｆによって被移送部材（破砕ごみ）を搬送するように構成したもので、水平部分は勿論であるが、かなりの傾斜部分でも搬送することができ、外観的には太めの配管であり、従って配管と同様に機器の間の狭い部分を引き回して設置することができ、しかも、本体がパイプであるから移送するものが粉体であっても飛散がなく、また、臭いものでも密室状態で悪臭を発散させることなく搬送できるものである。なお、この例においてはパイプコンベア４の下側の部分に網状物を配置してこの部分から排気と共に水分を排出するように構成されている。
【００２０】
図３は水切り装置５の概略図を示しており、パイプコンベア４に接続された円筒状の  本体５ａの下面に多孔性の分離底部５ｂを設け、前記パイプコンベア４の延長線上の内部を送り板４ｆと引張り部材４ｇを通過するようにしている。
【００２１】
そして、前記分離底部５ｂの上方に圧縮空気ｃを噴射するノズル５ｃと、加熱空気ｈを噴射するノズル５ｄを設けており、パイプコンベア４で搬送されてきた濡ている破砕ごみｔあるいはプラスチックごみｐの水分を圧縮空気ｃ吹き飛ばし、続いて加熱空気ｈで付着している水を蒸発させて乾燥させるようになっている。
【００２２】
本発明に係る固形廃棄物処理装置を使用する際は、分別されて保管されている可燃ごみＴ、不燃ごみＴａあるいはプラスチックごみＰを個々に装置に供給して処理するもので、必要に応じて破砕前の廃棄物を洗浄水で洗浄した後、破砕機２によって破砕し、破砕されて発生したごみｔ、ｐを洗浄してパイプコンベア４で次の工程に搬送する。
【００２３】
このパイプコンベア４の経路には図３に示すようにノズル５ｃと５ｄが設けてあり、ごみに付着している洗浄水ｗを圧縮空気ｃで吹き飛ばし、加熱空気ｈで付着している水を蒸発させた上で保管容器８、８ａに種類別に入れて保管する。
【００２４】
本発明に係る装置で廃棄物を処理すると、木材や紙のような可燃ごみの場合は容積が約１／３となり、瓶や缶のような不燃ごみの場合は約１／１０となり、更にプラスチックごみの場合も同様に約１／１０となって大幅な減容効果が得られる。
【００２５】
本発明に係る固形廃棄物処理装置は、船舶に搭載するためにコンパクトな装置として開発されたものであるが、本発明はこれに限定されるものではなく、例えばデパートや学校や公会堂、あるいは病院などのような大量の廃棄物が発生する場所で効果的に使用して焼却前の準備をすることができる。
【００２６】
【発明の効果】
本発明に係る固形廃棄物処理装置は、固形廃棄物を破砕する破砕装置と、この破砕装置で発生した破砕ごみを洗浄する洗浄装置と、洗浄された破砕ごみを乾燥する乾燥装置と、プラスチック破砕ごみを減容する減容装置を有し、前記洗浄装置と乾燥装置、乾燥装置と減容装置、更にこの減容装置と洗浄装置との間はパイプコンベアで連結されていることを特徴としている。
【００２７】
従って、固形廃棄物の体積を著しく減少させることができるので、狭い場所にでも従来の廃棄物の量に比較して大量の廃棄物を保管することができる。特に船舶のように限られた空間しかないような場合に好適に採用することができる。
【００２８】
更に、破砕されたごみは、一連の工程を経過する間に洗浄水で洗浄されるので、悪臭が発生して衛生上に問題があるようなことがない。
【図面の簡単な説明】
【図１】本発明の実施の形態に係る固形廃棄物処理装置の櫂略図である。
【図２】破砕装置と洗浄装置の説明図である。
【図３】パイプコンベアの経路に設ける乾燥装置の説明図である。
【符号の説明】
１  ホッパー        １ａ  洗浄ノズル
２  破砕装置        ２ａ  ホッパー
２ｂ  破砕機構        ２ｃ  洗浄水ノズル
３  洗浄装置        ３ａ  洗浄ノズル
４、４ｂ、４ｃ、４ｄ    パイプコンベア
４ａ  受入れ口        ４ｅ  パイプ
４ｈ  供給口          ４ｆ    送り板
４ｇ  引っ張り部材    ５  水切り装置
５ａ  本体            ５ｂ  分離底部
５ｃ、５ｄ  ノズル    ６  水切り装置
７  分離装置          ８  容器（コンテナ）
１２  乾燥装置      １３  フアン
１４  熱風噴射装置
【図１】
0004169979.tif 000002
【図２】
0004169979.tif 000003
【図３】
0004169979.tif 000004